(57)【要約】【課題】板状の弁バネで弁体を支持する常閉式のインジェクタについて、高い燃料調量精度を容易に実現できるようにする。【解決手段】弁体４Ａ及び可動鉄心２ｃが板状の弁バネ５で支持されるとともに閉弁方向に付勢され、非通電時に閉弁状態を維持する電磁駆動式のインジェクタ１Ａにおいて、弁体４Ａを閉弁方向に付勢するコイル状の第２の弁バネ６が設けられ、２つの弁バネ５，６が協働して二重のバネ荷重で弁体４Ａに作用するものとされ、且つ、この第２の弁バネ６のバネ荷重を外部から調整するためのバネ荷重調整機構としてバネ圧変位ネジ７を備えており、このバネ圧変位ネジ７を外部から操作することにより、弁体４Ａに最終的に作用するバネ荷重を調整・設定可能とした。【選択図】図１
2009167924.tif 000002
【特許請求の範囲】
【請求項１】
弁体及び可動鉄心が板状の弁バネで支持されるとともに閉弁方向に付勢され、非通電時に閉弁状態を維持する電磁駆動式のインジェクタにおいて、前記弁体を閉弁方向に付勢するコイル状の第２の弁バネが設けられ、２つの前記弁バネが協働して二重のバネ荷重で前記弁体に作用し、且つ、前記第２の弁バネのバネ荷重を外部から調整するためのバネ荷重調整機構を備えており、該バネ荷重調整機構を外部から操作することにより、前記弁体に最終的に作用するバネ荷重を調整・設定可能としたことを特徴とするインジェクタ。
【請求項２】
前記バネ荷重調整機構は、前記固定鉄心の中心軸線を貫通する貫通孔に、前記中心軸線に沿って前記第２の弁バネが挿設されているとともに前記弁バネ基端側に略円柱状のスライド部材が螺設されて前記可動鉄心との間に前記第２の弁バネを圧縮状態にして挟み込んでおり、前記スライド部材を外部からネジ式に回動させながら前記貫通孔中を摺動させることにより、前記第２の弁バネの圧縮幅を変更して所望のバネ荷重に調整・設定することを特徴とする請求項１に記載したインジェクタ。
【発明の詳細な説明】
【技術分野】
【０００１】
本発明は、エンジンが要求する流量の燃料を噴射するための電磁駆動式のインジェクタに関し、殊に、開閉弁（燃料調量バルブ）の弁体が板状の弁バネ中央部で支持されるとともに、弁バネのバネ荷重により弁シートに押しつけられて閉弁する常閉式のインジェクタに関する。
【背景技術】
【０００２】
電磁コイルに通電して励磁させることにより可動鉄心を吸引して開閉弁を開弁させる電磁駆動式のインジェクタは、例えば実開昭６１―１０５７５６号公報に記載されており、図２（Ａ）の縦断面部分図に示すように開閉弁の弁体４Ｂを板状の弁バネ５で支持（ホールド）しながらそのシール面をシート部材３の弁シートに押しつけて閉弁状態を維持させるように配置した常閉式のインジェクタ１Ｂが知られている。そして、その弁バネ５は図２（Ｂ）の平面図に示すように、金属製の薄板を円盤状に形成してなるものである。
【０００３】
このような構成のインジェクタ１Ｂは、一般的にはホールド型のインジェクタと呼ばれ、可動鉄心を摺動させるプランジャ型のインジェクタにおいて燃料を潤滑剤として使用できないガス燃料を使用する際に摩耗耐久性の問題が生じていたのに対し、図２（Ｃ）の分解図に示すように弁バネ５で弁体４Ｂを浮遊状態にしてホールドするため、固定鉄心２ｅに対する可動鉄心２ｃまたは弁体４Ｂの摺動部がなく、摩耗耐久性の問題が殆ど生じないという利点がある。
【０００４】
しかしながら、このホールド型のインジェクタ１Ｂは、構成部品寸法の組み合わせでバネ荷重が定まる構成であることから、燃料調量精度は部品組み付けのバラツキによる影響を大きく受ける特性がある。即ち、図３の拡大部分図に示すように、インジェクタ本体ボディの組立て時に弁バネ５の端縁側を固定する際、弁体４Ｂがシート部材３の弁シートに押しつけられた状態での弁バネ５の変形量によるバネ荷重により燃料調量精度が決定される。
【０００５】
そのため、各部品の寸法誤差や組み付けの僅かな誤差が燃料調量精度に大きな影響を与えることになるため、このようなホールド型のインジェクタ１Ａにおいては完成した製品間の燃料調量精度のバラツキ大きくなりやすく、且つ、高い燃料調量精度を実現することが困難となりやすい、という問題がある。
【特許文献１】実開昭６１―１０５７５６号公報
【発明の開示】
【発明が解決しようとする課題】
【０００６】
本発明は、上記のような問題点を解決しようとするものであり、板状の弁バネで弁体を支持する常閉式のインジェクタについて、高い燃料調量精度を容易に実現できるようにすることを課題とする。
【課題を解決するための手段】
【０００７】
そこで、本発明は、弁体及び可動鉄心が板状の弁バネで支持されるとともに閉弁方向に付勢され、非通電時に閉弁状態を維持する電磁駆動式のインジェクタにおいて、弁体を閉弁方向に付勢するコイル状の第２の弁バネが設けられ、２つの弁バネが協働して二重のバネ荷重で弁体に作用するものとされ、且つ、この第２の弁バネのバネ荷重を外部から調整するためのバネ荷重調整機構を備えており、このバネ荷重調整機構を外部から操作することにより、弁体に最終的に作用するバネ荷重を調整・設定可能とした。
【０００８】
このように、板状の第１の弁バネに加えてコイル状の第２の弁バネを配置し、第２の弁バネのバネ荷重を外部から調整可能としたことにより、インジェクタの組立て後に所望のバネ荷重に設定することができるため、各部品の寸法精度や組み付け状態にバラツキがあっても、高い燃料調量精度を均一に確保することが容易となる。
【０００９】
また、この場合、そのバネ荷重調整機構は、固定鉄心の中心軸線を貫通する貫通孔に、その中心軸線に沿ってコイル状の第２の弁バネが挿設されているとともに第２の弁バネ基端側に略円柱状のスライド部材が螺設されて可動鉄心との間に第２の弁バネを圧縮状態にして挟み込んでおり、このスライド部材を外部からネジ式に回動させながら貫通孔中を摺動させることにより、第２の弁バネの圧縮幅を変更して所望のバネ荷重に調整・設定することを特徴としたものとすれば、バネ荷重の設定が極めて容易であるとともにその微調整も容易なものとなる。
【発明の効果】
【００１０】
板状の第１の弁バネに加えコイル状の第２の弁バネを外部からバネ圧調整可能な状態で設けた本発明によると、高い燃料調量精度を容易に実現することができる。
【発明を実施するための最良の形態】
【００１１】
以下に、図面を参照しながら本発明を実施するための最良の形態を説明する。
【００１２】
図１（Ａ）は、本発明における実施の形態であるインジェクタ１Ａの開閉弁部分を中心とした縦断面部分図を示している。インジェクタ１Ａは、電磁コイル２ａ、固定鉄心２ｂ、可動鉄心２ｃを備えた電磁駆動式のインジェクタ（燃料噴射弁）であり、可動鉄心２ｃの下側（下流側）には弁体４Ａが設けられ、これらが弁ストローク方向に対し直角に設けられた円形・板状の板バネである、弁バネ５により支持されてなる、所謂ホールド型のインジェクタである。
【００１３】
また、弁体４Ａの下方には弁シートを構成する筒状のシート部材３が配設されてこれらで開閉弁を構成しており、弁体４Ａのシール面がシート部材３の弁シートに密着する閉弁時において、弁バネ５は中央部が僅かに上向きに持ち上げられて凸状に弾性変形した状態となっており、その弾性反発力により閉弁方向のバネ荷重が発生している。尚、上述した構成部分は、図２に示した従来型のインジェクタ１Ｂとほぼ同様であり周知の構成である。
【００１４】
そして、図１（Ｂ）の弁構造部分の分解図に示すように、可動鉄心２ｃの上面略中央部分には第２の弁バネであるコイル状の弁バネ６が、弁ストローク方向に沿って設けられ、開閉弁の弁体４Ａを閉弁方向に付勢するように上下に圧縮された状態で配設されており、上述した第１の弁バネ５と協働して弁体４Ａを閉弁方向に付勢するようになっており、バネ荷重が二重に作用する。
【００１５】
さらに、本実施の形態においては、外部からバネ荷重を調整可能とするバネ荷重調整機構の一部を構成するバネ変位ネジ７が、その外周面の一部と固定鉄心２ｂの中心を貫通した貫通孔２０の内周面の一部とでネジ構造を構成して貫通孔２０内に螺設され、ネジ式に回動することにより摺動するスライド部材として配設されており、コイル状の弁バネ６の基端側に密着してこれを可動鉄心２ｃとで圧縮状態にして挟み込んでいる。
【００１６】
このような構成のインジェクタ１Ａは、弁機構部の反対側の端部外側からドライバー等を用いて外側からバネ変位ネジ７を回動させることにより、固定鉄心２ｂの貫通孔２０内でバネ変位ネジ７を弁ストローク方向（貫通孔２０の中心軸線に一致）に沿って摺動させるとともに所望の位置で固定させることができ、バネ変位ネジ７の先端側と可動鉄心２ｃの基端側との間に挟まれたコイル状の弁バネ６を、所望の圧縮幅にしてそのバネ圧を所望のレベルに調整・設定出来るようになっており、この点が本発明の特徴部分となっている。
【００１７】
これにより、板状の第１の弁バネ５の荷重負担を、従来タイプのインジェクタ１Ｂの場合よりも軽減させてその軽減分の荷重をコイル状の第２の弁バネ６に負担させることができ、且つ、インジェクタ１Ａの組立て後にバネ変位ネジ７を外部から操作して弁バネ６のバネ圧を調整することにより、弁体４Ａにかかる最終的なバネ圧を所望の状態に容易に設定することができる。
【００１８】
従って、従来タイプのインジェクタ１Ｂにおいて僅かな部品の寸法誤差や僅かな組み付けのバラツキにより、弁バネ５のバネ荷重が大きく変動して高い流量調整精度を実現することが困難となり、製品間のバラツキも大きくなりやすかったのに対し、最終的なバネ荷重を外部から容易に調整できるようにした本実施の形態では、高い流量調整精度を容易に実現することができ、製品間のバラツキも小さくすることができる。
【００１９】
以上、述べたように、板状の弁バネで弁体を支持する常閉式のインジェクタについて、本発明により、高い燃料調量精度を容易に実現できるようになった。
【図面の簡単な説明】
【００２０】
【図１】（Ａ）は、本発明における実施の形態のインジェクタの弁機構部を中心とした縦断面部分図、（Ｂ）は（Ａ）のインジェクタの弁構造部分の分解図。
【図２】（Ａ）は従来例におけるインジェクタの弁機構部を中心とした縦断面部分図、（Ｂ）は（Ａ）のインジェクタの弁バネの平面図、（Ｃ）は（Ａ）のインジェクタの弁構造部分の分解図。
【図３】図２のインジェクタの弁構造部の拡大部分図。
【符号の説明】
【００２１】
１Ａ  インジェクタ、２ａ  コイル、２ｂ  固定鉄心、２ｃ  可動鉄心、３  シート部材、４Ａ  弁体４Ａ，６  弁バネ、７  バネ圧変位ネジ、２０  貫通孔
【図１】
2009167924.tif 000003
【図２】
2009167924.tif 000004
【図３】
2009167924.tif 000005